(57)【要約】【課題】ガスバーナの型が異なっても調理容器を載置するための補助五徳の共通化を可能とし、簡単で位置ズレすることなく補助五徳を天板上に配置させることができるガスコンロを提供する。【解決手段】ガスコンロ１は、天板１１上にガスバーナが配設され、ガスバーナの周囲に複数の爪部２２，２５を有する五徳２が配設される。五徳２に個別に配置され、五徳２と上端面が略面一である補助五徳４を備える。補助五徳４は、五徳２の上端面と略面一の部分を有する載置用枠部４０と、天板１１上に配置した際に載置用枠部４０から前方の五徳２に向かって延設される延長部４４とを有する。五徳２は、天板１１上に配置した際の延長部４４近くに位置する爪部２５の外方側端部に、上方に向かって開放する凹部２７を有する被係合部５１が形成される。補助五徳４の延長部４４の先端部に五徳２の凹部２７に水平方向の動きが阻止されて係合する係合部５２が形成される。【選択図】図１
2014228158.tif 000002
【特許請求の範囲】
【請求項１】
天板から突出するガスバーナ部を備え、複数の爪部を有する五徳がガスバーナ部により固定されて天板上のガスバーナ部の周囲に配置されるガスコンロにおいて、
五徳の近傍に個別に配置され、五徳と上端面が略面一である補助五徳を備え、
補助五徳は、五徳の上端面と略面一の部分を有する載置用枠部と、載置用枠部から五徳に向かって延設される延長部とを有し、
補助五徳の延長部の先端部近傍に位置する五徳の爪部の外方側端部と補助五徳の延長部の先端部とに、補助五徳の水平方向の動きを阻止するために嵌め合わされる係合手段を備えていることを特徴とするガスコンロ。
【請求項２】
請求項１に記載のガスコンロにおいて、
補助五徳の延長部の先端部と、補助五徳の延長部の先端部近傍に位置する五徳の爪部の外方側端部とに、互いに当接する当接面を形成すると共に、双方の当接面の接触状態を維持して嵌め合わされる係合部及び被係合部を形成して係合手段を構成しているガスコンロ。
【請求項３】
請求項１に記載のガスコンロにおいて、
五徳は、補助五徳の延長部の先端部近傍に位置する爪部の外方側端部に外方向に向けて延設される脚部を備え、
五徳の脚部に凹部を形成して被係合部を構成し、
補助五徳の延長部の先端部に上部を湾曲させて五徳の凹部に引っ掛けるフック部を形成して係合部を構成し、
被係合部と係合部とにより係合手段を構成しているガスコンロ。
【請求項４】
請求項２に記載のガスコンロにおいて、
補助五徳の延長部は、天板上に配置した際に載置用枠部における一方の横方向外側端部となる部分から五徳に向かって延設され、
五徳は、放射状に延びる爪部を備え、補助五徳の延長部の先端部近傍に位置する五徳の爪部の外方側端部と、この爪部と隣り合う爪部の外方側端部とに外側に向けて平行して延びる脚部を形成すると共に、これら脚部を連結する連結枠を形成し、各脚部における連結枠との連結部分に上方に開放する凹部を形成して被係合部が構成され、
補助五徳の延長部の先端部には、五徳の内方に向かって屈曲し、脚部の内方側に形成する五徳側当接面に当接させる補助五徳側当接面を備える係合片を形成すると共に、係合片の屈曲部の下端部に下方に開放する補助五徳側凹部を形成して五徳の凹部に係合させる係合部を構成しているガスコンロ。
【請求項５】
請求項３に記載のガスコンロにおいて、
補助五徳の延長部は、天板上に配置した際に載置用枠部における一方の横方向外側端部となる部分から五徳に向かって延設され、
五徳は、放射状に延びる爪部を備え、補助五徳の延長部の先端部近傍に位置する五徳の爪部の外方側端部に補助五徳の延長部の先端部まで延設される脚部を形成し、脚部に上方に開放する凹部を形成して被係合部を構成し、
延長部の先端部に上部を湾曲させて五徳の凹部に引っ掛けるフック部を形成して係合部を構成しているガスコンロ。
【請求項６】
請求項４又は請求項５に記載のガスコンロにおいて、
五徳は、天板上に配置した際に補助五徳と対向し、被係合部が形成された爪部を除く爪部の外方側端部に孔部を有する脚部を備え、
補助五徳は、天板上に配置した際に載置用枠部から孔部が形成された五徳の爪部に向かって延びる第２延長部を備え、第２延長部の先端部に五徳の孔部に対向する位置で屈曲する屈曲部が形成され、屈曲部を五徳の孔部に挿通させることにより補助五徳が屈曲部の屈曲方向と直交する方向への動きを阻止する構成をさらに有しているガスコンロ。
【請求項７】
請求項１から請求項６の何れか１項に記載のガスコンロにおいて、
天板上に左右２つのガスバーナ部を備え、各ガスバーナ部の周囲に五徳が配設され、
補助五徳が左右の五徳の後方にそれぞれ個別に配置されるように構成しているガスコンロ。
【請求項８】
請求項１から請求項６の何れか１項に記載のガスコンロにおいて、
天板上の前側に左右２つのガスバーナ部を、後側中央部に１つのガスバーナ部を備え、
前側の左右のガスバーナの周囲に前側五徳が配置され、
後側のガスバーナの周囲に後側五徳が配置され、
後側五徳の左右両側に補助五徳が配置されるように構成しているガスコンロ。
【発明の詳細な説明】
【技術分野】
【０００１】
本発明は、天板上にガスバーナ部が配設され、ガスバーナ部の周囲に五徳が配設されるガスコンロに関する。
【背景技術】
【０００２】
一般にガスコンロは天板上に複数のガスバーナが配設されており、さらに、各ガスバーナの周囲には五徳が配置されている。
【０００３】
さらに、特許文献１に開示されているように、五徳の周囲に鍋などの調理器具を載置するための補助五徳を設けたものが提案されており、補助五徳は五徳が配置される部分を除く天板上の残部を覆うように天板に対して着脱自在に配置されている。特許文献１に開示される補助五徳は、天板の周囲に上方に膨出する矩形状の外周縁部を形成し、この外周縁部内に嵌り込むように外周部を矩形に形成することで天板上に位置決めされる。
【０００４】
また、特許文献２に開示されるように、天板の前側に左右２つのガスバーナと後側の中央部にガスバーナを配設し、これら３つのガスバーナの周囲に矩形状の五徳を配置させると共に、矩形状の補助五徳を後側の五徳を挟むように左右に配置したものも提案されている。特許文献２に開示されるガスコンロは、さらに、天板の周囲に上方に膨出する矩形状の外周縁部を形成し、外周縁部を含む天板のほぼ全面を覆うように３つの矩形状の五徳と、２つの矩形状の補助五徳を密着させて配置するようにしている。これら五徳と補助五徳とは、外周縁部の内面を利用して位置決めを行なっている。
【先行技術文献】
【特許文献】
【０００５】
【特許文献１】特開平１１−２１８３３５号公報
【特許文献２】特開平８−３０３７９６号公報
【発明の概要】
【発明が解決しようとする課題】
【０００６】
特許文献１及び特許文献２に開示されるようなガスコンロでは、ガスバーナの数が異なったり、ガスバーナの配置が異なったりしてしまうと補助五徳を使用することができないため、個々のガスコンロの型に合わせて専用の補助五徳を作製しなければならない。特に特許文献２に開示されているガスコンロでは前後の五徳もガスコンロの型が異なると使用できない。
【０００７】
本発明は、前記事情に鑑みてなされたものであり、異なるガスバーナの型であっても鍋などを載置するための補助五徳の共通化を可能とし、しかも、簡単に位置ズレすることなく補助五徳を天板上に配置させることができるガスコンロを提供することを目的とする。
【課題を解決するための手段】
【０００８】
天板から突出するガスバーナ部を備え、複数の爪部を有する五徳がガスバーナ部により固定されて天板上のガスバーナ部の周囲に配置されるガスコンロにおいて、
五徳の近傍に個別に配置され、五徳と上端面が略面一である補助五徳を備え、
補助五徳は、五徳の上端面と略面一の部分を有する載置用枠部と、載置用枠部から五徳に向かって延設される延長部とを有し、
補助五徳の延長部の先端部近傍に位置する五徳の爪部の外方側端部と補助五徳の延長部の先端部とに、補助五徳の水平方向の動きを阻止するために嵌め合わされる係合手段を備えていることを特徴とする
【０００９】
このような構成によれば、補助五徳を設けることにより、鍋などの調理容器の載置面積を大きくして使い勝手を向上させることができる。さらに、五徳がガスバーナ部に固定されているので、補助五徳における延長部の先端部と、天板上に配置した際に補助五徳の延長部の先端部近傍に位置する五徳の爪部の外方側端部とが係合することにより、補助五徳を天板上の所定の位置に水平方向の動きが阻止された状態で配置できる。その結果、五徳上に配置された調理容器を、五徳と略面一の補助五徳の載置用枠部上に配置させても補助五徳の位置ずれが起こり難い。特に、調理中は調理容器を五徳と補助五徳との上端面を滑らせて移動させることが多くなる可能性が高いが、調理容器を滑らせて移動させても補助五徳の位置ずれが起こり難い。
【００１０】
さらに、調理容器を載置するための補助五徳を五徳によって位置決めできるので、天板上に簡単に位置ずれが少なく配置できると共に、ガスコンロの型に応じて専用の補助五徳を設けることなく、複数種類のガスコンロの型に対しても共通させて補助五徳を使用することができるので、補助五徳の共通化が可能となりコストの低廉化が図れる。即ち、補助五徳をガスバーナの数が１つのガスコンロ、左右２つのガスコンロ、そして、左右２つ及び後側中央１つのガスコンロの場合でも共通して使用することができる。
【００１１】
また、本発明のガスコンロは、補助五徳の延長部の先端部と、補助五徳の延長部の先端部近傍に位置する五徳の爪部の外方側端部とに、互いに当接する当接面を形成すると共に、双方の当接面の接触状態を維持して嵌め合わされる係合部及び被係合部を形成して係合手段を構成することが好ましい。
このような構成によれば、五徳の当接面に補助五徳の当接面を当接させた状態で、係合部を被係合部に係合させることにより、水平方向のうち、補助五徳の前後左右の動きが阻止されるだけでなく、各当接面によって補助五徳の回転も防止することができる。その結果、補助五徳が天板上でガタつくのを防止して、補助五徳による天板の表面の損傷を起こり難くすることができる。
【００１２】
また、本発明のガスコンロは、五徳は、補助五徳の延長部の先端部近傍に位置する爪部の外方側端部に外方向に向けて延設される脚部を備え、五徳の脚部に凹部を形成して被係合部を構成し、補助五徳の延長部の先端部に上部を湾曲させて五徳の凹部に引っ掛けるフック部を形成して係合部を構成し、被係合部と係合部とにより係合手段を構成することもできる。
このような構成によれば、簡単な構成で補助五徳の位置決め及び前後左右の移動の防止を行なうことができる。
【００１３】
また、本発明のガスコンロは、係合手段が当接面と係合部及び被係合部とにより構成される場合、
補助五徳の延長部は、天板上に配置した際に載置用枠部における一方の横方向外側端部となる部分から五徳に向かって延設され、
五徳は、放射状に延びる爪部を備え、補助五徳の延長部の先端部近傍に位置する五徳の爪部の外方側端部と、この爪部と隣り合う爪部の外方側端部とに外側に向けて平行して延びる脚部を形成すると共に、これら脚部を連結する連結枠を形成し、各脚部における連結枠との連結部分に上方に開放する凹部を形成して被係合部が構成され、
補助五徳の延長部の先端部には、五徳の内方に向かって屈曲し、脚部の内方側に形成する五徳側当接面に当接させる補助五徳側当接面を備える係合片を形成すると共に、係合片の屈曲部の下端部に下方に開放する補助五徳側凹部を形成して五徳の凹部に係合させる係合部を構成することが好ましい。
【００１４】
このような構成により、延長部の先端部に形成した係合片を五徳の脚部に当接させて脚部の五徳側当接面と補助五徳側当接面とが当接した状態を維持しながら、五徳の凹部に補助五徳側凹部をクロスさせて嵌め合わせるように係合させることによって、補助五徳の前後左右の動きと回転を簡単な構成で阻止することができる。
【００１５】
また、本発明のガスコンロは、係合手段が五徳に形成した凹部からなる被係合部と、補助五徳に形成したフック部からなる係合部とにより構成する場合は、
補助五徳の延長部は、天板上に配置した際に載置用枠部における一方の横方向外側端部となる部分から五徳に向かって延設され、
五徳は、放射状に延びる爪部を備え、補助五徳の延長部の先端部近傍に位置する五徳の爪部の外方側端部に補助五徳の延長部の先端部まで延設される脚部を形成し、脚部に上方に開放する凹部を形成して被係合部を構成し、
延長部の先端部に上部を湾曲させて五徳の凹部に引っ掛けるフック部を形成して係合部を構成することが好ましい。
このような構成によれば、簡単な構成で補助五徳の位置決め及び前後左右の移動の防止を行なうことができる。
【００１６】
また、本発明のガスコンロは、補助五徳の延長部が天板上に配置した際に載置用枠部における横方向外側端部となる部分から五徳に向かって延設される場合には、
五徳は、天板上に配置した際に補助五徳と対向し、被係合部が形成された爪部を除く爪部の外方側端部に孔部を有する脚部を備え、
補助五徳は、天板上に配置した際に載置用枠部から孔部が形成された五徳の爪部に向かって延びる第２延長部を備え、第２延長部の先端部に五徳の孔部に対向する位置で屈曲する屈曲部が形成され、屈曲部を五徳の孔部に挿通させることにより補助五徳が屈曲部の屈曲方向と直交する方向への動きを阻止する構成をさらに有するようにすることができる。
【００１７】
本発明のガスコンロは、五徳の被係合部と補助五徳の係合部とにより補助五徳の水平方向の移動を防止すると共に、補助五徳の屈曲部を五徳の孔部に挿通させることにより水平方向の移動のうち補助五徳の回転も確実に阻止することができるので、補助五徳の位置決めを確実に行なうことができ、補助五徳のガタつきも確実に防止できる。
【００１８】
また、本発明のガスコンロは、天板上に左右２つのガスバーナ部を備え、各ガスバーナ部の周囲に五徳が配設され、補助五徳が左右の五徳の後方にそれぞれ個別に配置されるように構成されたガスコンロとすることができる。
【００１９】
このような構成によれば、調理容器を載置するための補助五徳を五徳によって位置決めしているので、天板上に簡単に位置ずれが少なく配置できると共に、前側の左右のガスバーナ間のピッチが多少異なっても同じ補助五徳を使用でき、補助五徳の共通化が可能となりコストの低廉化が図れる。
【００２０】
また、本発明のガスコンロは、天板上の前側に左右２つのガスバーナ部を、後側中央部に１つのガスバーナ部を備え、
前側の左右のガスバーナの周囲に前側五徳が配置され、
後側のガスバーナの周囲に後側五徳が配置され、
後側五徳の左右両側に補助五徳が配置されるように構成することができる。
【００２１】
このような構成によれば、前側に２つガスバーナと後側中央にガスバーナを備えるガスコンロにおいて、後側五徳に補助五徳及び前側五徳を接触させることなく天板の略全面を五徳と補助五徳で覆うことができるので、後側五徳の共通化も可能となる。
【発明の効果】
【００２２】
以上のように、本発明のガスコンロによれば、補助五徳を設けることにより、調理容器の載置面積を大きくして使い勝手を向上させることができ、五徳から補助五徳の載置用枠部上へ調理容器を移動させても、補助五徳の位置ずれが起こり難く、しかも、ガスコンロの型が異なっても補助五徳の共通化が可能となりコストの低廉化が図れる。
【図面の簡単な説明】
【００２３】
【図１】実施形態１に係るガスコンロの全体平面図である。
【図２】実施形態１に係るガスコンロの天板に対する五徳及び補助五徳の位置を示す斜視図である。
【図３】実施形態１に係るガスコンロの五徳と補助五徳の接続状態を示す斜視図である。
【図４】実施形態１に係るガスコンロの右側の補助五徳を示す斜視図である。
【図５】実施形態１に係るガスコンロの左側の補助五徳を示す斜視図である。
【図６】実施形態１に係るガスコンロの五徳と補助五徳の接続状態を示す部分拡大斜視図である。
【図７】実施形態２に係るガスコンロの全体平面図である。
【図８】実施形態３に係るガスコンロの五徳と補助五徳の接続状態を示す斜視図である。
【発明を実施するための形態】
【００２４】
［実施形態１］
以下に、本発明の実施形態１に係るガスコンロについて添付図面を参照しながら説明する。
図１に示すガスコンロ１は、平坦なガラス板で形成された矩形状の天板１１と、この天板１１の前側に配置される左右２つ前側ガスバーナ１３及び後側中央部に配置される後側ガスバーナ１４とを備える。平坦な天板１１の外周囲にはガラス板を保護するためにアルミ枠１５が嵌められている。
【００２５】
前側ガスバーナ１３及び後側ガスバーナ１４は天板１１のバーナ用開口を介して上面に露出されており、前側ガスバーナ１３の周囲にバーナリング１６と鍋やフライパン等の調理容器を支持する横長の前側五徳２が載置され、後側ガスバーナ１４の周囲にバーナリング１６と調理容器を支持する概略円形の後側五徳３が載置されている。前側ガスバーナ１３と前側に配置させるバーナリング１６とにより前側のガスバーナ部が構成され、後側ガスバーナ１４と後側に配置させるバーナリング１６とにより後側のガスバーナ部が構成される。天板１１の後部には、図示しないグリル装置のグリル庫に連通する排気口１２が形成されている。
【００２６】
さらに、天板１１上の各前側五徳２の後方には、平面視がほぼ矩形状の補助五徳４が載置されるようになっており、これら補助五徳４は、後側五徳３を挟むようにして配置される。
【００２７】
前側ガスバーナ１３及び後側ガスバーナ１４の周囲に配置される環状のバーナリング１６は、ガスバーナの周囲の隙間から煮ごほれ汁がガスコンロ１の本体内部に入り込むのを防止するために天板１１に組み付けられている。
【００２８】
各バーナリング１６の外周縁における対向する２箇所には、前側五徳２又は後側五徳３の位置決めを行なうための切欠１６ａが形成されている。切欠１６ａは、天板１１にバーナリング１６を組み付けた時に前後に位置させるようになっている。なお、各バーナリング１６は、天板１１に対して回らないように天板１１に固定されている。
【００２９】
前側五徳２は、図３にも示すように、線材で形成される環状のリング部２１と、リング部２１からに放射状に取付けた６つの爪部２２，２５とを備える。リング部２１は、バーナリング１６の外周を囲うように形成されている。リング部２１を天板１１に固定されたバーナリング１６の外周に嵌め合わすことにより、前側五徳２が水平移動しないようになっている。各爪部２２，２５は、帯状金属材料により形成されており、上辺部と下辺部とを有する略コ字状に形成され、下辺部のコ字状開放側の端部がリング部２１に固定されている。
【００３０】
また、図３に示すように、爪部２２，２５のうち前側五徳２を天板１１上に配置させた際に、前後に位置させる半周離れた２つの爪部２２のリング部２１への固定部には、リング部２１より内方に張り出す張出部２２ａが形成されている。これら張出部２２ａをバーナリング１６に形成した切欠１６ａに嵌め合わすことで、前側五徳２を前側ガスバーナ１３に対して位置決めすると共に回転防止を行なう。このようにリング部２１をバーナリング１６の外周に嵌め合わし、張出部２２ａをバーナリング１６に形成した切欠１６ａに嵌め合わすことで、前側五徳２がバーナリング１６に固定された状態になる。
【００３１】
さらに、前側五徳２の前後に配置される爪部２２は、上辺部と下辺部とを連結する外方側端部を径方向外方に延設して脚部２３を形成している。これら脚部２３の外方側端部の下端を天板１１に載置させるようになっている。さらに、脚部２３には三角形状の孔部２４が形成されている。孔部２４は、径方向外方に上下に直線状に延びる部分が形成され、径方向内方が傾斜面となっており孔の大きさが下方に向けて小さくなるように形成している。このように、孔部２４の傾斜面によって、後述する補助五徳４の屈曲部４８を孔部２４の下端に案内し易くする。また、前後配置される爪部２２に孔部２４が形成されているため、前側五徳２の前後方向が分かり易くなる。
【００３２】
前側五徳２の左右に２つずつ放射状に配置される爪部２５は、上辺部と下辺部とを連結する外方側端部の上端部から上辺部と面一状態で径方向外方に延設した後、天板１１の前側縁部と平行になるように屈曲させ、さらに外側端部を下方に向けて屈曲させて脚部２６を形成している。
【００３３】
これら脚部２６のうち、前後に対向して配置される脚部２６が連結枠２８で連結されている。各連結枠２８の長手方向中間部には、爪部２５の外側端部における上端面と同一高さで屈曲し、先端がリング部２１に向けて延びる第２爪部２９を形成している。爪部２２,２５の上辺部の上面及び第２爪部２９の上面は、内方側先端部の位置が外側端部よりも低くなるようにやや傾斜させている。爪部２２,２５の上辺部の下面及び第２爪部２９の下面は、内方から外方に向けて下向きに傾斜させている。爪部２２,２５又は第２爪部２９に付着した煮零れなどの液体は下面側の傾斜面を伝ってバーナリング１６の外側に流れるようになっている。
【００３４】
前後の爪部２５と連結枠２８と第２爪部２９とは、一枚の帯状金属材料を打ち抜いて曲げ加工を行なうことにより一体に形成されている。このように形成されることで、前側五徳２における爪部２５の部分の製造が容易にしかも安価にでき、凹凸が少なく清掃性も向上できる。
【００３５】
さらに、前側五徳２は、各脚部２６における連結枠２８との連結部分に上方及び左右に開放する切欠状の凹部２７が形成されている。凹部２７は、詳しくは連結枠２８と脚部２６との屈曲部の内方側に形成されている。凹部２７が、後述する補助五徳４の延長部４４の先端部に形成した係合片４５の凹部４６が嵌め合わされる被係合部５１を構成する。
前側五徳２は、前後に設ける爪部２２、左右４つの爪部２５、及び、爪部２５と連結枠２８との連結部分に形成される凹部２７がリング部２１の中心に対して対称に形成されているので、左右の前側ガスバーナ１３のどちらに対しても使用できるし、前後方向も決まらないので、４つの爪部２５に形成した何れの凹部２７も被係合部５１として機能させることができる。このように前側五徳２は１種類作成するだけで左右の前側ガスバーナ１３に配置させることができるので、前側五徳２の共通化が可能となる。
【００３６】
後側五徳３は、前側五徳２と同様に、線材で形成される環状のリング部３１と、リング部３１に放射状に取付けた６つの爪部３２とを備える。リング部３１は、バーナリング１６の外周を囲うように形成されている。各爪部３２は、上辺部と下辺部とを有する略コ字状に形成され、下辺部のコ字状開放側の端部がリング部３１に固定されている。
【００３７】
６つの爪部３２は、略同一形状であるが、半周離れた１対の爪部３２のリング部３１への固定部には、リング部３１より内方に張り出す張出部３３が形成されている。これら張出部３３をバーナリング１６に形成した切欠１６ａに嵌め合わすことで、後側五徳３を後側ガスバーナ１４に対して位置決めし、かつ、回転を防止するようになっている。
なお、後側五徳３は、各爪部３２の上辺部と下辺部と連結する部分が脚部となっており、これら脚部の下端が天板１１に載置される。前側五徳２と同様に、爪部３２の上辺部の上面も内方側先端部の位置が外側端部よりも低くなるようにやや傾斜させ、上辺部の下面も内方から外方に向けて下向きに傾斜させている。
【００３８】
補助五徳４は、左右の前側五徳２の後方で、後側五徳３を挟むようにして、それぞれ個別に配置され、各前側五徳２の爪部２２,２５と上端面が略面一となるように形成されている。補助五徳４は、図４及び図５に示すように、後側五徳３を挟んで右側と左側とに配置させるため、左右対称の構造をしている。
【００３９】
補助五徳４は、図３〜図５に示すように、前側五徳２の上端面と略面一の部分を有する載置用枠部４０と、天板１１上に配置した際に載置用枠部４０から前方に配置される前側五徳２に向かって延設される延長部４４とを有する。
【００４０】
載置用枠部４０は、天板１１の前側縁部と平行に配置される３本の載置部４１と、これら載置部４１を連結する３本の連結部４３とを備える。載置部４１及び連結部４３は、帯状金属材料により形成されており、載置部４１は両端と中間位置とに下方に突出する脚片４２が形成されている。これら脚片４２の下端を連結部４３に連結させている。
【００４１】
なお、本実施形態１では、連結部４３は載置部４１に形成した脚片４２の下端部に連結させているが、載置部４１に脚片４２を形成することなく連結部４３の高さを載置部４１と同一高さに形成して連続させて載置用枠部４０を構成することもできる。
【００４２】
連結部４３のうち、補助五徳４を天板１１上に配置した際に載置用枠部４０における横方向外側端部となる連結部４３は、前方に配置される前側五徳２に向けて延設される延長部４４が形成されている。
【００４３】
延長部４４は、前側五徳２の左右の爪部２５のうち、前側五徳２を天板１１上に配置した際に後方の外側となる爪部２５の脚部２６の端部近くまで延設されている。延長部４４の先端部には、前側五徳２の内方側に向かって直角に屈曲すると共に所定の上下方向長さを有し、爪部２５に形成した脚部２６の内側の面（五徳側当接面）に当接する補助五徳側当接面を有する係合片４５を形成している。
【００４４】
係合片４５の高さは、図６にも示すように、脚部２６の高さよりもやや低くなるように形成されている。係合片４５を脚部２６と同じ高さになるように設計すると、製造工程において寸法のバラツキが生じた場合、係合片４５が脚部２６より高くなってしまう可能性があり、係合片４５の高さを脚部２６の高さより低くなるように形成することにより、寸法バラつきがあっても調理容器を前側五徳２から補助五徳４に滑らせて移動させる際に係合片４５に常に調理容器が当らないようにすることができ、補助五徳４がなるべくガタつかないようにすることができる。さらに、係合片４５の屈曲部における上端面は、外側よりも凹ませて形成されている。このように凹ませて形成することにより、曲げ加工時に屈曲させた部分が上方に膨らんでも係合片４５の屈曲部上端が他の部分よりも突出することがなく、調理容器を載置した際のガタつきも生じない。
【００４５】
また、ガスコンロ１の正面から前側五徳２と補助五徳４を見た場合に、係合片４５が脚部２６より低いので、係合片４５が脚部２６によって隠されて違和感がなくなる。さらに、補助五徳４の延長部４４を有する連結部４３は、係合片４５の凹部４６を脚部２６の凹部２７に係合させた状態の正面視において連結枠２８と連結部４３の側面が面一となるように形成されている。連結枠２８と連結部４３の側面が面一となりすっきりするので、見栄えが良くなり、係合片４５が脚部２６によって隠れることと相俟って、連結枠２８と連結部４３が１本のように見えて、前側五徳２と補助五徳４とが一体化されたように見え、デザイン上においても向上する。
【００４６】
係合片４５における屈曲部分の下端には、下方及び前後に開放し、前側五徳２の凹部２７に嵌め合わされる凹部４６が形成されており、補助五徳４の凹部４６を前側五徳２の凹部２７に嵌め合わすことにより、係合片４５の補助五徳側当接面が脚部２６の内側の五徳側当接面に当接し、これら当接面が面接触することにより補助五徳４の回転が阻止される。そして、補助五徳４の凹部４６を前側五徳２の凹部２７に係合することで、補助五徳４の前側五徳２に対する前後左右の動きが阻止される。本実施形態１では、補助五徳４の係合片４５に形成した凹部４６により前側五徳２の被係合部５１に係合する係合部５２を構成している。
【００４７】
本実施形態１では、補助五徳４の各連結部４３のうち、外側に配置される２本の連結部４３の長手方向両端部の下端面、延長部４４がある連結部４３においては延長部４４の外側端部の下端面の合計４箇所を天板１１上に載置するようになっている。
【００４８】
さらに、補助五徳４は、載置用枠部４０の中間部に配置させた連結部４３に、天板１１上に配置した際に孔部２４が形成された前側五徳２の爪部２２の脚部２３に向かって延びる第２延長部４７を形成し、この第２延長部４７の先端部を他方の前側五徳２に向けて屈曲させて屈曲部４８を形成している。この屈曲部４８を前側五徳２の孔部２４に挿通させることにより補助五徳４の前後の動きが阻止される。
【００４９】
本実施形態１に係るガスコンロ１において、前側五徳２、後側五徳３、そして補助五徳４を天板１１上に載置する手順としては、まず、前側五徳２及び後側五徳３をバーナリング１６に嵌め合わせて天板１１上に載置させて、前側五徳２の孔部２４に補助五徳４の屈曲部４８を挿通させながら前側五徳２の被係合部５１に補助五徳４の係合部５２を係合させ、補助五徳４を天板１１上に載置させる。
【００５０】
なお、本実施形態１では、前側五徳２は、横方向中間部において前後に配置される爪部２２の脚部２３の外側下端部と、左右４箇所の爪部２５における脚部２６の下端部の合計６箇所を天板１１上に設置させるようになっており、その他の部分の下面は、天板１１との間に所定の隙間が形成されるように構成されている。
【００５１】
また、後側五徳３は、爪部３２の上辺部と下辺部とを連結する６箇所の脚部の下端のみを天板１１上に設置させるようになっており、その他の部分の下面は、天板１１との間に所定の隙間が形成されるように構成されている。
【００５２】
さらに、補助五徳４も外側に配置される２本の連結部４３の長手方向両端部の下端面を除き、連結部４３の他の部分の下面は、天板１１との間に所定の隙間が形成されるように構成されている。
【００５３】
このように、前側五徳２、後側五徳３、そして、補助五徳４の下面の天板１１への設置箇所を限定し、これら下面と天板１１との間に隙間を形成することによって、前側五徳２、後側五徳３、そして、補助五徳４が天板１１へ載置された時にガタつくのを防止し、煮零れなどの液体を隙間から外側に逃がすことができる。煮零れを温度の低い天板１１の外周部側に逃がすことによって、煮零れが天板１１に加熱により固着するのを防止できる。さらに、加熱調理時に前側五徳２、後側五徳３の内方で生じた熱気を下端面と天板１１との間の隙間から外方に逃がすことにより、熱気のこもりをなくすことができるのでガスバーナ１３,１４の燃焼性を向上できる。
【００５４】
本実施形態１に係るガスコンロ１は、前側五徳２の凹部２７で構成される被係合部５１に補助五徳４の係合片４５に形成した凹部４６で構成される係合部５２を係合させることにより、補助五徳４の前後左右の移動が防止でき、しかも、補助五徳４の係合片４５を前側五徳２の爪部２５の脚部２６に当接させて補助五徳４の回転も阻止できる。さらに、補助五徳４の屈曲部４８を前側五徳２の孔部２４に挿通させることによっても補助五徳４の前後の移動を防止することができる。
【００５５】
本実施形態１のガスコンロ１によれば、前側五徳２及び後側五徳３とは独立して左右に前側五徳２及び後側五徳３の上端面と略面一の補助五徳４を配置させるため、鍋などの調理容器を前側五徳２又は後側五徳３からスライドさせて補助五徳４に載置させることができ、調理容器の載置面積を大きくできるので、ガスコンロ１の使い勝手が向上する。さらに、前側五徳２の天板１１に対する位置決めを容易に行なって、天板１１上での補助五徳４の位置ずれを確実に阻止することができる。
【００５６】
このように本実施形態１のガスコンロ１は、調理容器を載置するための補助五徳４を前側五徳２及び後側五徳３とは独立して設けて前側五徳２によって位置決めしているので、ガスバーナの数が左右２つだけであっても天板１１の奥行きが広ければ補助五徳４を配置させることができるし、天板１１の奥行きが狭ければ補助五徳４を載置させないように対応することができる。従って、ガスコンロの型に応じて専用の補助五徳を設けることなく、補助五徳４の共通化が可能となりコストの低廉化が図れる。さらに、本実施形態１では、左右の前側ガスバーナ１３に対して、１種類の前側五徳２を適用できるので、前側五徳２の共通化も図れる。
【００５７】
[実施形態２]
実施形態１のガスコンロ１は、左右の前側ガスバーナ１３の間隔が比較的狭いため、図１に示すように、左右の前側五徳２の連結枠２８は近接させた状態で天板１１上に載置され、補助五徳４は後側五徳３に近接した状態で配置されるようになっている。
図７に示す実施形態２に係るガスコンロ１は、実施形態１のガスコンロ１と天板１１の広さは同じであるが、左右の前側ガスバーナ１３の間隔を実施形態１のガスコンロ１よりも広くしたものである。この場合であっても、実施形態１のガスコンロ１に使用した前側五徳２、後側五徳３、補助五徳４をそのまま適用できる。
【００５８】
本実施形態２に係るガスコンロ１では、左右の前側ガスバーナ１３の間隔が実施形態１のガスコンロ１より広いため、図７に示すように、左右の前側五徳２は、各連結枠２８を所定の間隔を空けた状態で天板１１上に載置され、補助五徳４は、後側五徳３とやや離れて配置された状態になる。
【００５９】
このように本実施形態２のガスコンロ１のように前側の左右のガスバーナ間のピッチが広くなっても、前側五徳２を利用することで前側五徳２及び後側五徳３とは独立して左右に補助五徳４を位置ずれすることなく配置させることができる。従って、左右のガスバーナの間隔が異なるガスコンロに対して、前側五徳２および補助五徳４の共通化が可能となりコストの低廉化が図れる。
【００６０】
[実施形態３]
実施形態１に係る前側五徳２では、前後の爪部２５と連結枠２８は、一枚の帯状金属材料を打ち抜いて曲げ加工を行なうことにより一体に形成したが、図８に示す実施形態３に係る前側五徳２ａのように、左右に配置される爪部２５ａをそれぞれ個別に帯状金属材料を打ち抜いて曲げ加工し、別途設ける金属製の棒状体で連結枠２８ａを構成して、連結枠２８ａを左右それぞれにおいて前後で対向する爪部２５ａの脚部２６ａに連結するように構成することもできる。
【００６１】
この場合、棒状の連結枠２８ａの中間部に帯状金属材料を打ち抜いた第２爪部２９ａを固定すると共に、爪部２５ａと第２爪部２９ａとの間の連結枠２８ａに軸方向に切れ目の入った筒状ゴム部材６を嵌め合わして、筒状ゴム部材６を天板１１上に載置させるようにしている。筒状ゴム部材６を介して前側五徳２ａを天板１１上に載置させることができるので、天板１１が傷つき難くなる。また、筒状ゴム部材６には切れ目が入っているので、棒状の連結枠２８ａに対して脱着が可能であり、連結枠２８ａの清掃がし易くなる。
【００６２】
本実施形態３では、前側五徳２ａは、連結枠２８ａ、左右に２つずつ配置される爪部２５ａの脚部２６ａの形状を除いて、実施形態１の前側五徳２と同じ形状をしている。同じ構成部分については同じ符号で示す。
【００６３】
また、左右に配置される各爪部２５ａの脚部２６ａには、横方向外側に向けて開放され、下方に向けて凹む凹部２７ａが形成されており、凹部２７ａが被係合部５１ａとなる。そして、凹部２７ａに後述する補助五徳４ａの延長部４４ａの先端に形成したフック部４９からなる係合部５２ａを係合させる。なお、脚部２６ａに形成した凹部２７ａは、横方向外側に向けて開放させているが、脚部２６ａの上部外側に形成される突出部分を無くして、単に上方に開放される凹部２７ａとしてもよい。なお、棒状の連結枠２８ａ及び第２爪部２９ａは設けないようにすることもできる。棒状の連結枠２８ａを設けない場合には、脚部２６ａの下端を天板１１に設置させる構成とする。
【００６４】
また、実施形態１に係る補助五徳４では、載置用枠部４０の連結部４３を帯状金属材料により構成し、連結部４３を天板１１上に載置するようにしたが、図８に示す本実施形態３の補助五徳４ａのように、載置用枠部４０ａの連結部４３ａを棒状の部材に変更することもできる。連結部４３ａを棒状部材で構成することにより、手入れが容易になる。
【００６５】
外側の２本の連結部４３ａには、前側五徳２ａの連結枠２８ａと同様に、３本の載置部４１の間の棒部分に軸方向に切れ目の入った筒状ゴム部材６を嵌め合わして、筒状ゴム部材６を天板１１上に載置させるようにしている。このように、筒状ゴム部材６を介して補助五徳４ａを天板１１上に載置させることができるので、天板１１が傷つかず、ゴム部材により補助五徳４ａのガタつきも吸収できる。また、補助五徳４の連結部４３ａも切れ目の入った筒状ゴム部材６が脱着可能に取付けられているので、連結部４３ａの清掃がし易くなる。なお、本実施形態３の補助五徳４ａは、載置用枠部４０ａの載置部４１は実施形態１と同じ形状であるので、同じ符号で示す。
【００６６】
そして、連結部４３ａのうち、補助五徳４ａを天板１１上に配置した際に載置用枠部４０ａにおける横方向外側端部となる連結部４３ａを前方に配置される前側五徳２ａに向けて延設して延長部４４ａを形成している。
【００６７】
この場合も、延長部４４ａは、前側五徳２ａの左右の爪部２５ａのうち、前側五徳２ａを天板１１上に配置した際に後方外側となる脚部２６ａの近くまで延設させている。延長部４４ａの先端部に上部を湾曲させた鉤状のフック部４９が形成され、このフック部４９により係合部５２ａを構成している。
【００６８】
さらに、補助五徳４ａは、天板１１上に配置した際に前側となる載置用枠部４０ａの中間部に配置させた連結部４３ａの端部を孔部２４が形成された前側五徳２ａの爪部２２の脚部２３に向かって延設して第２延長部４７ａを形成している。そして、第２延長部４７ａの先端部を他方の前側五徳２ａに向けて屈曲させて屈曲部４８ａを形成している。
【００６９】
本実施形態３のガスコンロ１も、前側五徳２ａの凹部２７ａで構成される被係合部５１ａと補助五徳４ａのフック部４９で構成される係合部５２ａとにより補助五徳４ａの前後左右の移動を防止でき、補助五徳４ａの屈曲部４８ａを前側五徳２ａの孔部２４に挿通させることによって前後の移動及び回転を防止できるので、補助五徳４ａの天板１１に対する位置決めを簡単に行なえ、補助五徳４ａの移動も確実に阻止できる。
【００７０】
なお、本発明は、前記実施形態のみに限定されず、本発明の要旨の範囲内で種々の変更を施すことが可能である。
例えば、ビルトインタイプのガスコンロにも適用できるし、ガステーブルタイプのガスコンロにも適用できる。
【００７１】
また、前述した各実施形態において前側五徳に形成した凹部は、上方及び左右、又は、上方及び前後に開放される切欠により形成したが、前後左右が塞がれた凹みにすることもできる。この場合、補助五徳に形成する被係合部は、前側五徳の凹みに嵌り込むピンにより構成することで補助五徳の前後及び左右の動きを阻止することができる。ただし、これだけでは、補助五徳は回転する可能性があるので、各実施形態に示したように、前側五徳に形成する孔部に補助五徳に設ける第２延長部の屈曲部を嵌合する構成も備えるようにすることで補助五徳の回転を防止できる。
【００７２】
また、上記各実施形態では、補助五徳の延長部は、天板上に配置した際に載置用枠部における横方向外側端部となる部分から前側五徳に向かって延設したが、載置用枠部の中央部から延設して先端部に係合部を形成し、前側五徳の前後に配置する爪部に被係合部を形成するようにしてもよい。この場合、補助五徳の載置用枠部における横方向外側端部から第２延長部を延設して先端部に屈曲部を形成し、前側五徳の横方向外側端部の爪部の脚部に孔部を形成するようにすることができる。
【００７３】
さらに、上記実施形態では、左右２つの前側ガスバーナと後中央に１つのガスバーナとを備えるガスコンロについて説明したが、左右２つのみのガスバーナを備えるガスコンロにも本発明の五徳と補助五徳の構成を適用できるし、１つのガスバーナのみを備えるガスコンロにも本発明の五徳と補助五徳の構成を適用できる。
【００７４】
本発明の補助五徳は、五徳の後方に配置するタイプのほか、五徳の前方にスペースがある場合には、そのスペースに合う大きさの補助五徳を配置させることもできる。即ち、天板の五徳に対するスペースに応じて、五徳の後方にのみ、五徳の前方にのみ、又は、五徳の前後・左右など、五徳の周囲に配置させることができる。
【００７５】
また、天板として、ガラス板だけでなく平坦なものであれば、ホーロー板や金属板の天板にも適用できる。
【符号の説明】
【００７６】
１  ガスコンロ
２  前側五徳
３  後側五徳
４  補助五徳
１１  天板
１３  前側ガスバーナ
１４  後側ガスバーナ
１６  バーナリング
２２  爪部(前後)
２３  脚部
２４  孔部
２５  爪部（左右）
２６  脚部
２７  凹部(被係合部)
２８  連結枠
４０  載置用枠部
４１  載置部
４２  脚片
４３  連結部
４４  延長部
４５  係合片
４６  凹部(係合部)
４７  第２延長部
４８  屈曲部
５１  被係合部
５２  係合部
【図１】
2014228158.tif 000003
【図２】
2014228158.tif 000004
【図３】
2014228158.tif 000005
【図４】
2014228158.tif 000006
【図５】
2014228158.tif 000007
【図６】
2014228158.tif 000008
【図７】
2014228158.tif 000009
【図８】
2014228158.tif 000010